(57)【要約】【課題】ＤＣ状態においてリソースの無駄な消費を抑制する。【解決手段】マスター基地局およびセカンダリ基地局と通信可能な通信装置は、通信装置による無線リソース制御（ＲＲＣ）状態を制御し、マスター基地局およびセカンダリ基地局のそれぞれに対して接続処理を実行する。通信装置は、ＲＲＣ状態がＩｎａｃｔｉｖｅ状態（下位物理層では非接続状態かつ上位論理想では接続状態）である場合にＲＲＣ状態をＩｎａｃｔｉｖｅ状態からＣｏｎｎｅｃｔｅｄ状態（接続状態）へ遷移させることが決定された後に、マスター基地局またはセカンダリ基地局との接続処理に失敗した場合に、ＲＲＣ状態をＩｄｌｅ状態（非接続状態）に遷移させる。【選択図】図４
2020161962.tif 000002
【特許請求の範囲】
【請求項１】
マスター基地局およびセカンダリ基地局と通信可能な通信装置であって、
前記通信装置による無線リソース制御（ＲＲＣ）状態を制御するＲＲＣ状態制御手段と、
前記マスター基地局および前記セカンダリ基地局のそれぞれに対して接続処理を実行する接続制御手段と、を有し、
前記通信装置のＲＲＣ状態がＩｎａｃｔｉｖｅ状態（下位物理層では非接続状態かつ上位論理想では接続状態）である場合に前記ＲＲＣ状態を前記Ｉｎａｃｔｉｖｅ状態からＣｏｎｎｅｃｔｅｄ状態（接続状態）へ遷移させることが決定された後に、前記接続制御手段が、前記マスター基地局または前記セカンダリ基地局との接続処理に失敗した場合に、前記ＲＲＣ状態制御手段は、前記ＲＲＣ状態をＩｄｌｅ状態（非接続状態）に遷移させることを特徴とする通信装置。
【請求項２】
前記通信装置が静止状態か否かを判定する動き判定手段を更に有し、
前記ＲＲＣ状態がＩｎａｃｔｉｖｅ状態である場合に前記ＲＲＣ状態を前記Ｉｎａｃｔｉｖｅ状態からＣｏｎｎｅｃｔｅｄ状態へ遷移させることが決定され、かつ、前記動き判定手段により前記通信装置が静止状態でないと判定された場合に、前記ＲＲＣ状態制御手段は、前記ＲＲＣ状態を前記Ｉｄｌｅ状態に遷移させることを特徴とする請求項１に記載の通信装置。
【請求項３】
前記ＲＲＣ状態を前記Ｉｎａｃｔｉｖｅ状態から前記Ｃｏｎｎｅｃｔｅｄ状態へ遷移させることは、ユーザーによる操作に応じて決定されることを特徴とする請求項１または２に記載の通信装置。
【請求項４】
前記通信装置が有する送信対象のデータの量に応じて、前記ＲＲＣ状態を前記Ｉｎａｃｔｉｖｅ状態から前記Ｃｏｎｎｅｃｔｅｄ状態へ遷移させることを決定する決定手段を更に有することを特徴とする請求項１から３のいずれか１項に記載の通信装置。
【請求項５】
前記マスター基地局から前記ＲＲＣ状態を前記Ｃｏｎｎｅｃｔｅｄ状態から前記Ｉｎａｃｔｉｖｅ状態へ遷移するための指示を受信する受信手段と、
前記通信装置の周辺に位置する１以上の基地局からの信号の受信信号レベルを取得する取得手段と、
前記通信装置を前記マスター基地局と前記セカンダリ基地局とのデュアル接続が可能な状態か不可な状態に切り替える切り替え手段と、を更に有し、
前記ＲＲＣ状態が前記Ｃｏｎｎｅｃｔｅｄ状態である場合に前記受信手段により前記指示が受信され、かつ、前記取得手段により取得された前記セカンダリ基地局の受信信号レベルが所定の第１のレベルより低い場合、前記切り替え手段は、前記通信装置を前記デュアル接続が不可な状態に切り替えることを特徴とする請求項１から４のいずれか１項に記載の通信装置。
【請求項６】
前記ＲＲＣ状態が前記Ｃｏｎｎｅｃｔｅｄ状態である場合に前記受信手段により前記指示が受信され、かつ、前記取得手段により取得された前記セカンダリ基地局の受信信号レベルが所定の第１のレベルより低い場合、前記ＲＲＣ状態制御手段が前記ＲＲＣ状態を前記Ｉｎａｃｔｉｖｅ状態に遷移させてから前記Ｃｏｎｎｅｃｔｅｄ状態に遷移させた後に、前記切り替え手段は前記通信装置を前記デュアル接続が不可な状態に切り替えることを特徴とする請求項５に記載の通信装置。
【請求項７】
前記切り替え御手段が前記通信装置を前記デュアル接続が不可な状態に切り替えた後、前記取得手段により取得された前記１以上の基地局からの信号の受信信号レベルが所定の第２のレベル以上である場合に、前記切り替え手段は、前記通信装置を、当該所定の第２のレベル以上の受信信号レベルを有する基地局と前記マスター基地局とのデュアル接続が可能な状態に切り替えることを特徴とする請求項５または６に記載の通信装置。
【請求項８】
前記切り替え手段が前記通信装置を前記デュアル接続が不可な状態に切り替えた場合、前記通信装置が前記デュアル接続が不可な状態にあることを前記マスター基地局に通知する通知手段を更に有することを特徴とする請求項５から７のいずれか１項に記載の通信装置。
【請求項９】
前記切り替え手段が前記通信装置を前記デュアル接続が不可な状態に切り替えた場合、前記通信装置が前記マスター基地局と通信できることを前記マスター基地局に通知する通知手段を更に有することを特徴とする請求項５から７のいずれか１項に記載の通信装置。
【請求項１０】
前記マスター基地局から前記ＲＲＣ状態を前記Ｃｏｎｎｅｃｔｅｄ状態から前記Ｉｎａｃｔｉｖｅ状態へ遷移するための指示を受信する受信手段と、
前記通信装置の周辺に位置する１以上の基地局からの信号の受信信号レベルを取得する取得手段と、を更に有し、
前記ＲＲＣ状態が前記Ｃｏｎｎｅｃｔｅｄ状態である場合に前記受信手段により前記指示が受信され、かつ、前記セカンダリ基地局の受信信号レベルが所定の第１のレベルより低い場合、前記取得手段により取得された、前記１以上の基地局からの信号の受信信号レベルに関する情報を前記マスター基地局へ通知する通知手段を更に有することを特徴とする請求項１から４のいずれか１項に記載の通信装置。
【請求項１１】
前記ＲＲＣ状態が前記Ｃｏｎｎｅｃｔｅｄ状態である場合に前記受信手段により前記指示が受信され、かつ、前記取得手段により取得された前記セカンダリ基地局の受信信号レベルが所定の第１のレベル以上である場合、前記ＲＲＣ状態制御手段、前記ＲＲＣ状態を前記Ｉｎａｃｔｉｖｅ状態へ遷移させることを特徴とする請求項５から１０のいずれか１項に記載の通信装置。
【請求項１２】
マスター基地局およびセカンダリ基地局と通信可能な通信装置の制御方法であって、
前記通信装置の無線リソース制御（ＲＲＣ）状態がＩｎａｃｔｉｖｅ状態（下位物理層では非接続状態かつ上位論理想では接続状態）である場合に前記ＲＲＣ状態を前記Ｉｎａｃｔｉｖｅ状態からＣｏｎｎｅｃｔｅｄ状態（接続状態）へ遷移させることが決定された後に、前記マスター基地局と前記セカンダリ基地局との接続処理を実行する接続制御工程と、
前記接続制御工程において前記マスター基地局または前記セカンダリ基地局との接続処理に失敗した場合に、前記ＲＲＣ状態をＩｄｌｅ状態（非接続状態）に遷移させるＲＲＣ状態制御工程とを有することを特徴とする通信装置の制御方法。
【請求項１３】
コンピュータを、請求項１から１１のいずれか１項に記載の通信装置として機能させるためのプログラム。
【発明の詳細な説明】
【技術分野】
【０００１】
本発明は、通信装置、通信装置の制御方法、プログラムに関する。
【背景技術】
【０００２】
３ＧＰＰ（３ｒｄ Ｇｅｎｅｒａｔｉｏｎ Ｐａｒｔｎｅｒｓｈｉｐ Ｐｒｏｊｅｃｔ）仕様では、複数の基地局と同時に通信するデュアルコネクティビティ（ＤＣ）が規定されている。ＤＣ状態では、ユーザー装置（ＵＥ）はマスターノード（ＭＮ）とセカンダリノード（ＳＮ）との間で同時に通信することで、ユーザースループットや通信の信頼性を向上させることができる（特許文献１）。
【０００３】
また、３ＧＰＰ仕様では、無線リソース制御（Ｒａｄｉｏ  Ｒｅｓｏｕｒｃｅ  Ｃｏｎｔｒｏｌ（ＲＲＣ））として、従来は、非接続状態のＲＲＣ＿Ｉｄｌｅおよび接続状態のＲＲＣ＿Ｃｏｎｎｅｃｔｅｄの２状態のみが規定されていた。これに対し、近年の３ＧＰＰ仕様では、下位物理層では非接続かつ、上位論理層では接続状態となるＲＲＣ＿Ｉｎａｃｔｉｖｅという状態が規定されている。ＲＲＣ＿Ｉｎａｃｔｉｖｅ状態を規定することにより、待ち受け不要なＵＥに対する制御信号の抑制／省電力と、通信復帰時の速やかなネットワーク接続とを両立することができる。
【先行技術文献】
【特許文献】
【０００４】
【特許文献１】特開２０１８−５６８６５号公報
【発明の概要】
【発明が解決しようとする課題】
【０００５】
現在の３ＧＰＰ仕様では、ＤＣ状態におけるＲＲＣ＿ＩｎａｃｔｉｖｅからＲＲＣ＿Ｃｏｎｎｅｃｔｅｄへの復帰処理（Ｒｅｓｕｍｅ処理）については規定されていない。例えばＵＥが、マスターノード（ＭＮ）との接続においてはＲＲＣ＿Ｃｏｎｎｅｃｔｅｄへの復帰に成功し、かつセカンダリノード（ＳＮ）との接続においてはＲＲＣ＿Ｃｏｎｎｅｃｔｅｄへの復帰に失敗した場合を考える。もしＵＥが復帰に成功したＭＮだけとの通信を維持すると、ＳＮの復帰失敗検知が遅れ、ＳＮの復帰失敗検知までの間のＳＮのリソースを無駄に消費する恐れがある。
【０００６】
本発明は上記課題に鑑みてなされたものであり、デュアルコネクティビティ（ＤＣ）状態においてリソースの無駄な消費を抑制することを目的とする。
【課題を解決するための手段】
【０００７】
上記目的を達成するための一手段として、本発明の通信装置は以下の構成を有する。すなわち、マスター基地局およびセカンダリ基地局と通信可能な通信装置であって、前記通信装置による無線リソース制御（ＲＲＣ）状態を制御するＲＲＣ状態制御手段と、前記マスター基地局および前記セカンダリ基地局のそれぞれに対して接続処理を実行する接続制御手段と、を有し、前記通信装置のＲＲＣ状態がＩｎａｃｔｉｖｅ状態（下位物理層では非接続状態かつ上位論理想では接続状態）である場合に前記ＲＲＣ状態を前記Ｉｎａｃｔｉｖｅ状態からＣｏｎｎｅｃｔｅｄ状態（接続状態）へ遷移させることが決定された後に、前記接続制御手段が、前記マスター基地局または前記セカンダリ基地局との接続処理に失敗した場合に、前記ＲＲＣ状態制御手段は、前記ＲＲＣ状態をＩｄｌｅ状態（非接続状態）に遷移させる。
【発明の効果】
【０００８】
本発明によれば、ＤＣ状態においてリソースの無駄な消費を抑制することが可能となる。
【図面の簡単な説明】
【０００９】
【図１】ネットワーク構成の一例を示す図。
【図２】通信装置のハードウェア構成例を示す図。
【図３】通信装置の機能構成例を示す図。
【図４】第一の実施形態においてＵＥにより実行される処理を示すフローチャート。
【図５】第二の実施形態においてＵＥにより実行される処理を示すフローチャート。
【図６】第三の実施形態においてＵＥにより実行される処理を示すフローチャート。
【図７】第四の実施形態においてＵＥにより実行される処理を示すフローチャート。
【図８】第五の実施形態においてＵＥにより実行される処理を示すフローチャート。
【発明を実施するための形態】
【００１０】
以下、添付図面を参照して実施形態を詳しく説明する。尚、以下の実施形態は特許請求の範囲に係る発明を限定するものでない。実施形態には複数の特徴が記載されているが、これらの複数の特徴の全てが発明に必須のものとは限らず、また、複数の特徴は任意に組み合わせられてもよい。さらに、添付図面においては、同一若しくは同様の構成に同一の参照番号を付し、重複した説明は省略する。
【００１１】
［第一の実施形態］
（ネットワーク構成）
図１に、本実施形態におけるネットワーク構成例を示す。本ネットワークは、デジタルカメラ１０１と基地局１０２、１０３から構成される。デジタルカメラ１０１は、基地局１０２および基地局１０３と同時に通信するデュアルコネクティビティ（ＤＣ）通信をサポートする。例えば、デジタルカメラ１０１は、撮像処理により得られた画像データを不図示のサーバへアップロードするために、基地局１０２および基地局１０３に対してＤＣ通信を実行して、画像データを送信する。基地局１０２、１０３は、デジタルカメラ１０１から受信した撮像データをコアネットワーク１０４上に通信接続された上位局やサーバなどのネットワーク装置へ送信する。
【００１２】
本実施形態では、基地局１０２がマスターノード（ＭＮ）基地局（マスター基地局）として機能し、基地局１０３がセカンダリノード（ＳＮ）基地局（セカンダリ基地局）として機能するものとする。ＤＣ通信においては、ＭＮ基地局である基地局１０２が、デジタルカメラ１０１と基地局１０２および基地局１０３との間のＤＣ通信を制御すると共に、コアネットワーク１０４との間の通信を制御する。
【００１３】
（デジタルカメラの構成）
図２に、本実施形態におけるデジタルカメラ１０１のハードウェア構成例を示す。デジタルカメラ１０１はそのハードウェア構成として、例えば、制御部２０１、記憶部２０２、無線通信部２０３、表示部２０４、入力部２０５を有する。
【００１４】
制御部２０１は、記憶部２０２に記憶される制御プログラムを実行することにより装置全体を制御する。記憶部２０２は、制御部２０１が実行する制御プログラムと、通信パラメータや撮影画像データ等の各種情報を記憶する。後述する各種動作は、記憶部２０２に記憶された制御プログラムを制御部２０１が実行することにより行われる。無線通信部２０３は、３ＧＰＰ規格に準拠するＬＴＥ（Ｌｏｎｇ  Ｔｅｒｍ  Ｅｖｏｌｕｔｉｏｎ）、５Ｇ（５ｔｈ  Ｇｅｎｅｒａｔｉｏｎ）等のセルラー網通信を行うための信号の送受信を制御する。表示部２０４は、視覚情報を出力する機能を備える。また、表示部２０４は、音情報を出力するように構成されてもよく、例えば、ＬＣＤやＬＥＤのように視覚で認知可能な情報の出力、あるいはスピーカなどの音出力が可能な機能を有し得る。入力部２０５は、ユーザーが各種入力等を行う入力部である。入力部２０５は更に、不図示のセンサーが得た各種情報（センサー情報）を取得するように構成され得る。
【００１５】
図３は、デジタルカメラ１０１の機能構成例を示す図である。デジタルカメラ１０１は、その機能構成として、送信部３０１、受信部３０２、接続制御部３０３、表示制御部３０４、信号レベル取得部３０５、ＲＲＣ状態制御部３０６、ＤＣ状態制御部３０７、および動き判定部３０８を有する。
【００１６】
送信部３０１と受信部３０２はそれぞれ、無線通信部２０３（図２）を介した信号の送信処理および受信処理を行う。接続制御部３０３は、基地局との接続および切断に関する処理を実施する。また、接続制御部３０３は、ＤＣ通信に関する設定処理を基地局との間で実施する。表示制御部３０４は、表示部２０４に対する出力制御を行う。信号レベル取得部３０５は、デジタルカメラ１０１の周辺に位置する通信装置（基地局を含む）からの信号のＲＳＳＩ（Ｒｅｃｅｉｖｅｄ  Ｓｉｇｎａｌ  Ｓｔｒｅｎｇｔｈ  Ｉｎｄｉｃａｔｉｏｎ）といった電波強度（ｄＢｍ）を受信信号レベルとして取得する。本実施形態では、信号レベル取得部３０５は、ＤＣ通信が必要と制御部２０１により判断された場合に、受信信号レベルを取得するように構成されてもよい。例えば、制御部２０１がＤＣ通信を含めたセルラー通信が必須であると予め定められたデータ通信アプリケーションを実行中と判断した場合に、信号レベル取得部３０５は受信信号レベルを取得するように構成されてもよい。すなわち、信号レベル取得部３０５は、当該アプリケーションが実行中の場合に受信信号レベルを取得し、実行中でない場合には受信信号レベルを取得しなくてもよい。なお、信号レベル取得部は、ＳＩＮＲ（信号対干渉雑音比）やＳＮＲ（信号対雑音比）といった受信感度／品質を、受信信号レベルとして取得してもよい。
【００１７】
ＲＲＣ状態制御部３０６は、デジタルカメラ１０１によるＲＲＣ制御状態を制御する。ＲＲＣ制御状態には、上述したように、ＲＲＣ＿Ｃｏｎｎｅｃｔｅｄ状態（接続状態）、ＲＲＣ＿Ｉｎａｃｔｉｖｅ状態（下位物理層では非接続状態かつ上位論理想では接続状態）、およびＲＲＣ＿Ｉｄｌｅ状態（非接続状態）がある。ＤＣ状態制御部３０７は、デジタルカメラ１０１をＭＮ基地局とＳＮ基地局とのデュアル接続（ＤＣによる接続）が可能な状態（ＤＣ状態）か不可な状態（非ＤＣ状態）にするかの切り替えを制御する。動き判定部３０８は、入力部２０５に入力されるセンサー情報に基づいて、デジタルカメラ１０１が静止状態か否かを判定する。
【００１８】
（処理の流れ）
図４は、本実施形態においてデジタルカメラ１０１にて実行される処理を示すフローチャートである。図４のフローチャートは、ＤＣ状態にあるデジタルカメラ１０１がＲＲＣ＿Ｉｎａｃｔｉｖｅ状態から通信可能状態（ＲＲＣ＿Ｃｏｎｎｅｃｔｅｄ）に遷移する処理を示す。図４に示すフローチャートは、制御部２０１が記憶部２０２に記憶されたコンピュータプログラムを読み出して実行することにより行われ得る。
【００１９】
最初に、ＲＲＣ状態制御部３０６は、デジタルカメラ１０１のＲＲＣ状態をＲＲＣ＿Ｉｎａｃｔｉｖｅ状態からＲＲＣ＿Ｃｏｎｎｅｃｔｅｄ状態へ遷移させるかを判定する（Ｓ４０１）。例えば、ＲＲＣ状態制御部３０６は、デジタルカメラ１０１が有する、ネットワークへの送信対象データ（アップロード対象の画像データ等）の量が所定量を超えた場合に、ＤＣ状態において、ＲＲＣ状態をＲＲＣ＿Ｉｎａｃｔｉｖｅ状態からＲＲＣ＿Ｃｏｎｎｅｃｔｅｄへ遷移すると決定する。なお、ユーザーによる入力部を介した操作に応じて、ＲＲＣ状態制御部３０６は、ＤＣ状態において、ＲＲＣ状態をＲＲＣ＿Ｉｎａｃｔｉｖｅ状態からＲＲＣ＿Ｃｏｎｎｅｃｔｅｄへ遷移すると決定してもよい。このとき、ユーザーは、表示部２０４に表示された情報に基づいて当該操作を行ってもよい。ＤＣ状態においてＲＲＣ＿Ｉｎａｃｔｉｖｅ状態からＲＲＣ＿Ｃｏｎｎｅｃｔｅｄへ遷移する場合（Ｓ４０１でＹＥＳ）、処理はＳ４０２へ進み、それ以外の場合、処理はＳ４０１へ戻る。
【００２０】
Ｓ４０２では、接続制御部３０３は、ＭＮ基地局との接続において、ＲＲＣ＿Ｃｏｎｎｅｃｔｅｄとの接続処理（Ｒｅｓｕｍｅ処理）を試み、当該接続処理に成功するかどうかを判定する。接続処理は、例えば、デジタルカメラ１０１と対象となる基地局との間の電波環境（通信状況）が良好の場合に成功し得る。よって、例えば、デジタルカメラ１０１において、対象となる基地局からの信号の受信信号レベルが所定のレベル以下である場合に、接続処理は失敗し得る。ＭＮ基地局との接続処理に成功しなかった場合（Ｓ４０２でＮｏ）、ＲＲＣ状態制御部３０６は、デジタルカメラ１０１のＲＲＣ状態をＲＲＣ＿Ｉｄｌｅに遷移させる（Ｓ４０３）。続いて、接続制御部３０３は、ＤＣ通信のために、ＭＮ基地局およびＳＮ基地局との再接続処理を実行する（Ｓ４０４）。ＭＮ基地局との接続処理に成功した場合（Ｓ４０２でＹＥＳ）、接続制御部３０３は更に、ＳＮ基地局との接続処理を試み、当該接続処理に成功するかどうかを判定する（Ｓ４０５）。ＳＮ基地局との接続処理に成功しなかった場合（Ｓ４０５でＮＯ）、ＲＲＣ状態制御部３０６は、デジタルカメラ１０１のＲＲＣ状態をＲＲＣ＿Ｉｄｌｅに遷移させる（Ｓ４０６）。続いて、接続制御部３０３は、ＤＣ通信のために、ＭＮ基地局およびＳＮ基地局との再接続処理を実行する（Ｓ４０７）。ＳＮ基地局との接続処理に成功した場合（Ｓ４０５でＹＥＳ）、ＲＲＣ状態制御部３０６は、デジタルカメラ１０１のＲＲＣ状態をＲＲＣ＿Ｃｏｎｎｅｃｔｅｄに遷移させる（Ｓ４０８）。
【００２１】
このように、本実施形態では、デジタルカメラ１０１がＤＣ状態においてＲＲＣ＿Ｉｎａｃｔｉｖｅ状態からＲＲＣ＿Ｃｏｎｎｅｃｔｅｄへ遷移する場合に、ＭＮ基地局とＳＮ基地局との接続処理に成功しなかった場合は、ＲＲＣ＿Ｉｄｌｅ状態となる。これにより、ＤＣ状態においてリソースの無駄な消費を抑制することができ、ＳＮ基地局のリソースが有効に活用され得る。
【００２２】
［第二の実施形態］
第二の実施形態では、デジタルカメラ１０１がＲＲＣ＿Ｃｏｎｎｅｃｔｅｄ状態からＲＲＣ＿Ｉｎａｃｔｉｖｅ状態へ遷移する場合に、ＳＮ基地局との間の通信状況に応じたデジタルカメラ１０１の状態制御を行う。当該状態制御は、第一の実施形態のようにデジタルカメラ１０１がＤＣ状態においてＲＲＣ＿Ｉｎａｃｔｉｖｅ状態からＲＲＣ＿Ｃｏｎｎｅｃｔｅｄ状態へ遷移する場合に、ＳＮ基地局との接続処理（Ｓ４０５）の失敗を回避し得る制御につながる。なお、以下では第一の実施形態と異なる点について説明し、共通部分については説明を省略する。
【００２３】
図５は、本実施形態においてデジタルカメラ１０１にて実行される処理を示すフローチャートである。図５のフローチャートは、デジタルカメラ１０１がＲＲＣ＿Ｃｏｎｎｅｃｔｅｄ状態からＲＲＣ＿Ｉｎａｃｔｉｖｅ状態に遷移する処理を示す。図５に示すフローチャートは、制御部２０１が記憶部２０２に記憶されたコンピュータプログラムを読み出して実行することにより行われ得る。
【００２４】
まず、信号レベル取得部３０５は、ＳＮ基地局からの信号の受信信号レベルを取得する（Ｓ５０１）。信号レベル取得部３０５は、例えば、５秒間の期間においてＳＮ基地局から受信部３０２を介した受信された信号の受信レベルを測定し、その平均値を受信信号レベルとして算出する。また、信号レベル取得部３０５により前もって取得されて記憶部２０２に保持されている受信信号レベルが用いられてもよい。続いて、受信部３０２は、ＭＮ基地局からＲＲＣ＿Ｉｎａｃｔｉｖｅ状態へ遷移するための指示を受信したかどうかを判定する（Ｓ５０２）。なお、受信部３０２は、ＲＲＣ＿Ｉｎａｃｔｉｖｅへ遷移するための指示を、例えばユーザーによる入力部２０５への入力により受信したかどうかを判定してもよい。ＲＲＣ＿Ｉｎａｃｔｉｖｅ状態へ遷移するための指示を受信しなかった場合（Ｓ５０２でＮＯ）、処理はＳ５０１へ戻る。ＲＲＣ＿Ｉｎａｃｔｉｖｅへ遷移するための指示を受信した場合（Ｓ５０２でＹＥＳ）、ＤＣ状態制御部３０７は、デジタルカメラ１０１が現在ＤＣ状態かどうかを判定する（Ｓ５０３）。デジタルカメラ１０１がＤＣ状態でない場合（Ｓ５０３でＮＯ）、ＲＲＣ状態制御部３０６は、デジタルカメラ１０１のＲＲＣ状態をＲＲＣ＿Ｉｎａｃｔｉｖｅ状態に遷移させる。（Ｓ５０４）。
【００２５】
デジタルカメラ１０１がＤＣ状態の場合（Ｓ５０３でＹＥＳ）、ＲＲＣ状態制御部３０６は、Ｓ５０１で取得したＳＮ基地局の受信信号レベルが所定の第１のレベル以上かどうかを判定する（Ｓ５０５）。第１のレベルの例は−８５ｄＢｍであるが、この数字に限定されない。ＳＮ基地局の受信信号レベルが第１のレベル以上の場合（Ｓ５０５でＹＥＳ）、ＲＲＣ状態制御部３０６は、デジタルカメラ１０１のＲＲＣ状態をＲＲＣ＿Ｉｎａｃｔｉｖｅ状態に遷移させる。（Ｓ５０６）。ＳＮ基地局の受信信号レベルが第１のレベル以上でない場合（Ｓ５０５でＮＯ）、ＲＲＣ状態制御部３０６は、デジタルカメラ１０１のＲＲＣ状態をＲＲＣ＿Ｉｎａｃｔｉｖｅ状態に遷移させる（Ｓ５０７）。続いて、接続制御部３０３は送信部３０１を介してＲＲＣ＿Ｃｏｎｎｅｃｔｅｄ再開要求（Ｒｅｓｕｍｅ  ｒｅｑｕｅｓｔ）をＭＮ基地局に送信する（Ｓ５０８）。デジタルカメラ１０１とＭＮ基地局との間でＲＲＣ＿Ｃｏｎｎｅｃｔｅｄ再開処理が完了すると、ＲＲＣ状態制御部３０６は、デジタルカメラ１０１のＲＲＣ状態をＲＲＣ＿Ｃｏｎｎｅｃｔｅｄ状態に遷移させる。
【００２６】
デジタルカメラ１０１がＲＲＣ＿Ｃｏｎｎｅｃｔｅｄ状態に遷移した後、ＤＣ状態制御部３０７は、デジタルカメラ１０１のＤＣ状態を、ＤＣ不可の状態（非ＤＣ状態）に変更する（Ｓ５０９）。当該非ＤＣ状態への変更を受けて、送信部３０１は、ＤＣ不可であることを示す情報を含む、デジタルカメラ１０１の能力情報をＭＮ基地局へ送信してもよい。また、送信部３０１は、当該非ＤＣ状態への変更を受けて、少なくともＭＮ基地局と接続すること（ＭＮ基地局とのみ接続すること等）を示す情報を含む、デジタルカメラ１０１の能力情報をＭＮ基地局へ送信してもよい。
【００２７】
このように、本実施形態では、デジタルカメラ１０１は、ＳＮ基地局との通信状況が良好な場合にＲＲＣ＿Ｉｎａｃｔｉｖｅ状態となる。また、デジタルカメラ１０１は、ＳＮ基地局の通信状況が良好でない場合に、非ＤＣ状態となるため、ＤＣ状態と非ＤＣ状態を頻繁に切り替えることがなくなり、通信が安定する。
【００２８】
［第三の実施形態］
第三の実施形態では、第二の実施形態と同様に、デジタルカメラ１０１がＲＲＣ＿Ｃｏｎｎｅｃｔｅｄ状態からＲＲＣ＿Ｉｎａｃｔｉｖｅ状態へ遷移する場合に、ＳＮ基地局との間の通信状況に応じたデジタルカメラ１０１の状態制御を行う。なお、以下では第一と第二の実施形態と異なる点について説明し、共通部分については説明を省略する。
【００２９】
図６は、本実施形態においてデジタルカメラ１０１にて実行される処理を示すフローチャートである。図６のフローチャートは、デジタルカメラ１０１がＲＲＣ＿Ｃｏｎｎｅｃｔｅｄ状態からＲＲＣ＿Ｉｎａｃｔｉｖｅ状態に遷移する処理を示す。図６に示すフローチャートは、制御部２０１が記憶部２０２に記憶されたコンピュータプログラムを読み出して実行することにより行われ得る。
【００３０】
図６において、Ｓ５０１、Ｓ５０２、Ｓ５０３、Ｓ５０４、Ｓ５０５、Ｓ５０６の処理は、第二の実施形態において説明した図５の同番号の処理と同様である。Ｓ５０５において、ＳＮ基地局の受信信号レベルが所定の第１のレベル以上でない場合（Ｓ５０５でＮＯ）、ＲＲＣ状態制御部３０６は、デジタルカメラ１０１のＲＲＣ状態をＲＲＣ＿Ｉｎａｃｔｉｖｅ状態に遷移させない（Ｓ６０７）。これにより、デジタルカメラ１０１はＲＲＣ＿Ｃｏｎｎｅｃｔｅｄ状態を維持する。次に、信号レベル取得部３０５は、デジタルカメラ１０１の周辺に位置する１以上の基地局（周辺基地局）から受信部３０２を介して受信される信号の受信信号レベルを取得する（Ｓ６０８）。その後、送信部３０１は、周辺基地局の受信信号レベルの情報を、周辺基地局情報としてＭＮ基地局へ通知する（Ｓ６０９）。これにより、デジタルカメラ１０１は、現在接続しているＳＮ基地局よりも通信状況が良好なＳＮ基地局が存在する場合、当該通信状況が良好なＳＮ基地局への切り替えをＭＮ基地局へ促す。なお、当該周辺基地局情報に、Ｓ５０１で取得したＳＮ基地局の受信信号レベルの情報を含めてもよい。
【００３１】
このように、本実施形態では、デジタルカメラ１０１は、ＳＮ基地局との通信状況が良好な場合にＲＲＣ＿Ｉｎａｃｔｉｖｅ状態となる。また、デジタルカメラ１０１は、ＳＮ基地局の通信状況が良好でない場合に、通信状況がより良好なＳＮ基地局への切り替えを試みることで、通信が安定する可能性が高まる。
【００３２】
［第四の実施形態］
第四の実施形態では、第二と第三の実施形態と同様に、デジタルカメラ１０１がＲＲＣ＿Ｃｏｎｎｅｃｔｅｄ状態からＲＲＣ＿Ｉｎａｃｔｉｖｅ状態へ遷移する場合に、ＳＮ基地局との間の通信状況に応じたデジタルカメラ１０１の状態制御を行う。なお、以下では第一、第二および第三の実施形態と異なる点について説明し、共通部分については説明を省略する。
【００３３】
図７は、本実施形態においてデジタルカメラ１０１にて実行される処理を示すフローチャートである。図７のフローチャートは、デジタルカメラ１０１がＲＲＣ＿Ｃｏｎｎｅｃｔｅｄ状態からＲＲＣ＿Ｉｎａｃｔｉｖｅ状態に遷移する処理を示す。図７に示すフローチャートは、制御部２０１が記憶部２０２に記憶されたコンピュータプログラムを読み出して実行することにより行われ得る。
【００３４】
図７において、Ｓ５０１、Ｓ５０２、Ｓ５０３、Ｓ５０４、Ｓ５０５、Ｓ５０６、Ｓ５０７、Ｓ５０８、Ｓ５０９の処理は、第二の実施形態において説明した図５の同番号の処理と同様である。Ｓ５０９において、ＤＣ状態制御部３０７は、デジタルカメラ１０１のＤＣ状態を、ＤＣ不可の状態（非ＤＣ状態）に変更した後、信号レベル取得部３０５は、周辺基地局の受信信号レベルを取得する（Ｓ７１０）。次に、ＤＣ状態制御部３０７は、Ｓ７１０で取得した受信信号レベルが所定の第２のレベルかどうかを判定する（Ｓ７１１）。第２のレベルの例は−８０ｄＢｍであるが、この数字に限定されない。周辺基地局の受信信号レベルが全て第２のレベル以上でない場合（Ｓ７１１でＮＯ）、ＤＣ状態制御部３０７はデジタルカメラ１０１の非ＤＣ状態を維持して終了する。周辺基地局のうち受信信号レベルが第２のレベル以上の基地局（ＳＮ候補基地局）がある場合（Ｓ７１１でＹＥＳ）、ＤＣ状態制御部３０７は、デジタルカメラをＤＣ可能な状態（ＤＣ状態）に変更する（Ｓ７１２）。なお、ＳＮ候補基地局が複数ある場合は、表示制御部３０４が複数のＳＮ候補基地局に関する情報を表示部２０４に表示させ、ユーザーが１つのＳＮ候補基地局を選択してもよい。当該ＤＣ状態への変更を受けて、送信部３０１は、ＤＣ可であることを示す情報を含む、デジタルカメラ１０１の能力情報をＭＮ基地局へ送信してもよい。また、当該ＤＣ状態への変更を受けて、送信部３０１は、ＳＮ基地局と接続可能であることを示す情報を含む、デジタルカメラ１０１の能力情報をＭＮ基地局へ送信してもよい。次に、送信部３０１は、ＳＮ候補基地局を含む周辺基地局の受信信号レベルの情報を、周辺基地局情報としてＭＮ基地局へ通知する（Ｓ７１３）。これにより、デジタルカメラ１０１は、現在接続しているＳＮ基地局よりも通信状況が良好なＳＮ基地局が存在する場合、当該通信状況が良好なＳＮ基地局への切り替えをＭＮ基地局へ促す。なお、当該周辺基地局情報に、Ｓ５０１で取得したＳＮ基地局の受信信号レベルの情報を含めてもよい。
【００３５】
このように、本実施形態では、デジタルカメラ１０１は、ＳＮ基地局との通信状況が良好な場合にＲＲＣ＿Ｉｎａｃｔｉｖｅ状態となる。また、デジタルカメラ１０１は、ＳＮ基地局の通信状況が良好でない場合に、非ＤＣ状態となるため、ＤＣ状態と非ＤＣ状態を頻繁に切り替えることがなくなり、通信が安定する。更に、また、デジタルカメラ１０１は、ＳＮ基地局の通信状況が良好でない場合に、通信状況がより良好なＳＮ基地局への切り替えを試みることで、通信が安定する可能性が高まる。
【００３６】
［第五の実施形態］
第五の実施形態では、ＤＣ状態にあるデジタルカメラ１０１がＲＲＣ＿Ｉｎａｃｔｉｖｅ状態から通信可能状態（ＲＲＣ＿Ｃｏｎｎｅｃｔｅｄ）に遷移する、第一の実施形態とは別の形態を説明する。なお、以下では第一の実施形態と異なる点について説明し、共通部分については説明を省略する。図８は、本実施形態においてデジタルカメラ１０１にて実行される処理を示すフローチャートである。図８に示すフローチャートは、制御部２０１が記憶部２０２に記憶されたコンピュータプログラムを読み出して実行することにより行われ得る。
【００３７】
図８において、Ｓ４０１、Ｓ４０２、Ｓ４０３、Ｓ４０４、Ｓ４０５、Ｓ４０６、Ｓ４０７、Ｓ４０８の処理は、第一の実施形態において説明した図４の同番号の処理と同様である。ＲＲＣ状態制御部３０６は、デジタルカメラ１０１のＲＲＣ状態をＲＲＣ＿Ｉｎａｃｔｉｖｅ状態からＲＲＣ＿Ｃｏｎｎｅｃｔｅｄ状態へ遷移させるかを判定する（Ｓ４０１）。ＤＣ状態においてＲＲＣ＿Ｉｎａｃｔｉｖｅ状態からＲＲＣ＿Ｃｏｎｎｅｃｔｅｄへ遷移する場合（Ｓ４０１でＹＥＳ）、処理はＳ８０１へ進み、それ以外の場合、処理はＳ４０１へ戻る。Ｓ８０１では、動き判定部３０８はデジタルカメラ１０１が静止状態か否か（静止状態か移動状態か）を判定する。デジタルカメラ１０１が静止状態である場合（Ｓ８０１でＹＥＳ）、処理はＳ４０２へ進む。デジタルカメラ１０１が移動状態である場合（Ｓ８０１でＮＯ）、ＲＲＣ状態制御部３０６は、デジタルカメラ１０１は、それまで接続していたＭＮ基地局やＳＮ基地局の通信可能な範囲の圏外に移動する可能性が高いと判断する。そして、ＲＲＣ状態制御部３０６は、デジタルカメラ１０１のＲＲＣ状態をＲＲＣ＿Ｉｄｌｅ状態に遷移させる（Ｓ８０２）。続いて、接続制御部３０３は、ＤＣ通信のために、ＭＮ基地局およびＳＮ基地局との再接続処理を実行する（Ｓ８０３）。
このように、本実施形態では、静止状態でないデジタルカメラ１０１は、接続していたＭＮ基地局やＳＮ基地局の圏外に移動する可能性が高い判断し、当該２つの基地局との接続判定処理Ｓ４０２、Ｓ４０５）をスキップする。これにより、すみやかな再接続処理が可能となる。
【００３８】
発明は上記実施形態に制限されるものではなく、発明の精神及び範囲から離脱することなく、様々な変更及び変形が可能である。従って、発明の範囲を公にするために請求項を添付する。
【００３９】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４０】
１０１  デジタルカメラ、１０２  ＭＮ基地局、１０３  ＳＮ基地局
【図１】
2020161962.tif 000003
【図２】
2020161962.tif 000004
【図３】
2020161962.tif 000005
【図４】
2020161962.tif 000006
【図５】
2020161962.tif 000007
【図６】
2020161962.tif 000008
【図７】
2020161962.tif 000009
【図８】
2020161962.tif 000010